(57)【要約】【課題】安価な構成で、望まない画像が表示されるのを抑制することが可能な画像表示装置及びその制御方法を提供する。【解決手段】操作パネル２２及びリモコン２３に備わる入力ソース無効化キーは、無効とすべき入力端子を指定するための操作キーであり、ユーザが、入力ソース無効化キーを操作すると、制御部２０は、その時点で入力ソース選択部２６が選択している入力端子が指定されたものと判断し、この入力端子を無効にする。具体的には、制御部２０は、入力ソース無効化キーが操作されると、入力ソース選択部２６に対して、次順の入力端子への切り替えを指示するとともに、これ以降、入力ソース切替キーが操作された場合にも、指定された入力端子への切り替えを禁止する。【選択図】図１
2008304668.tif 000002
【特許請求の範囲】
【請求項１】
画像信号が入力される複数の入力端子と、
前記複数の入力端子の中から１つの入力端子を選択する入力選択部と、
前記入力選択部で選択された入力端子に入力される画像信号に基づいて、画像を表示する画像表示部と、
入力操作を受け付ける入力操作部と、
前記入力操作部に対する入力操作に基づいて、前記入力選択部に選択させる入力端子を順次切り替える制御部と、
前記複数の入力端子のうち、指定された入力端子を無効にする入力端子無効化部と、
を備え、
前記制御部は、前記複数の入力端子のうち、前記入力端子無効化部で無効とされたものを除く入力端子の中から、１つの入力端子を前記入力選択部に選択させることを特徴とする画像表示装置。
【請求項２】
請求項１に記載の画像表示装置であって、
前記入力端子に前記画像信号が入力されているか否かを検出する画像信号検出部をさらに備え、
前記制御部は、前記画像信号検出部によって前記画像信号の入力が検出された入力端子のうち、前記入力端子無効化部で無効とされたものを除く入力端子の中から、１つの入力端子を前記入力選択部に選択させることを特徴とする画像表示装置。
【請求項３】
請求項１又は２に記載の画像表示装置であって、
前記制御部は、前記複数の入力端子がそれぞれ無効か否かを表す一覧画像を、前記画像表示部に表示させることを特徴とする画像表示装置。
【請求項４】
請求項１〜３のいずれか１項に記載の画像表示装置であって、
前記画像表示部は、
光源と、
前記光源から射出された光を、前記入力選択部で選択された画像信号に基づいて変調し、画像を形成する光変調装置と、
前記光変調装置で形成された画像を拡大投写する投写光学系と、
を備えることを特徴とする画像表示装置。
【請求項５】
画像信号が入力される複数の入力端子と、前記複数の入力端子の中から１つの入力端子を選択する入力選択部と、前記入力選択部で選択された入力端子に入力される画像信号に基づいて、画像を表示する画像表示部と、入力操作を受け付ける入力操作部と、前記入力操作部に対する入力操作に基づいて、前記入力選択部に選択させる入力端子を順次切り替える制御部と、を備えた画像表示装置の制御方法であって、
前記複数の入力端子のうち、指定された入力端子を無効にする第１のステップと、
前記複数の入力端子のうち、前記第１のステップで無効とされたものを除く入力端子の中から、１つの入力端子を前記入力選択部に選択させる第２のステップと、
を備えたことを特徴とする画像表示装置の制御方法。
【発明の詳細な説明】
【技術分野】
【０００１】
本発明は、複数の入力端子を備えた画像表示装置及びその制御方法に関する。
【背景技術】
【０００２】
プロジェクタ等の画像表示装置は、パーソナルコンピュータや映像再生装置等、様々な画像供給装置から画像の供給を受けるべく、多数の入力端子を備えている（例えば、特許文献１参照）。一般的な画像表示装置では、各入力端子に入力される画像（入力画像）の中から所望の入力画像に切り替えるために、操作パネルやリモコンが備える入力切替キーを、所望の入力画像が表示されるまで繰り返し操作する必要がある。
また、特許文献１に記載のプロジェクタ装置は、すべての入力画像を同時に表示可能な映像表示装置と、これに対応する入力切替え装置（タッチパネル）を備えており、映像表示装置に表示される複数の入力画像の中から、投写すべき画像（投影画像出力）を容易に選択することができるようになっている。
【０００３】
【特許文献１】特開２００３−３２３１６８号公報
【発明の開示】
【発明が解決しようとする課題】
【０００４】
しかしながら、入力切替キーによって入力画像を切り替える構成では、所望の入力画像に切り替わる途中に他の入力画像が表示されてしまうことがある。このため、例えば、プロジェクタを用いてプレゼンテーションを行う際、プレゼンテーション用の画像に切り替わるまでに、プレゼンテーションに無関係な画像が表示されてしまう場合があった。
また、特許文献１に記載のプロジェクタ装置では、複数の入力画像を映像表示装置で事前に確認してから投写すべき画像を選択することが可能であるため、望まない画像が表示されるのを防ぐことが可能である。しかしながら、画像を投写する機能とは別の映像表示機能を備える必要があるため、装置が高価になってしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］画像信号が入力される複数の入力端子と、前記複数の入力端子の中から１つの入力端子を選択する入力選択部と、前記入力選択部で選択された入力端子に入力される画像信号に基づいて、画像を表示する画像表示部と、入力操作を受け付ける入力操作部と、前記入力操作部に対する入力操作に基づいて、前記入力選択部に選択させる入力端子を順次切り替える制御部と、前記複数の入力端子のうち、指定された入力端子を無効にする入力端子無効化部と、を備え、前記制御部は、前記複数の入力端子のうち、前記入力端子無効化部で無効とされたものを除く入力端子の中から、１つの入力端子を前記入力選択部に選択させることを特徴とする画像表示装置。
【０００７】
この画像表示装置によれば、入力端子無効化部が、複数の入力端子のうち、指定された入力端子を無効にし、制御部が、入力端子無効化部で無効とされたものを除く入力端子の中から、入力選択部に１つの入力端子を選択させるため、指定された入力端子に入力される画像が画像表示部に表示されることがなくなる。この結果、画像を切り替える途中で望まない画像が表示されてしまうことを防ぐことが可能となる。また、画像表示部で表示すべき画像を選択するための映像表示装置等を別途設ける必要がないため、装置が高価になるのを抑制することが可能となる。
【０００８】
［適用例２］上記画像表示装置であって、前記入力端子に前記画像信号が入力されているか否かを検出する画像信号検出部をさらに備え、前記制御部は、前記画像信号検出部によって前記画像信号の入力が検出された入力端子のうち、前記入力端子無効化部で無効とされたものを除く入力端子の中から、１つの入力端子を前記入力選択部に選択させることを特徴とする画像表示装置。
【０００９】
この画像表示装置によれば、画像信号検出部によって画像信号の入力が検出された入力端子のみが、入力選択部による選択の対象となるため、画像信号が入力されていない入力端子が選択されることがなくなる。この結果、所望の入力端子に切り替えるための入力操作を少ない手数で行うことが可能となる。
【００１０】
［適用例３］上記画像表示装置であって、前記制御部は、前記複数の入力端子がそれぞれ無効か否かを表す一覧画像を、前記画像表示部に表示させることを特徴とする画像表示装置。
【００１１】
この画像表示装置によれば、制御部が、各入力端子が無効か否かを表す一覧画像を画像表示部に表示させるため、どの入力端子が無効であるかを容易に視認することが可能となる。
【００１２】
［適用例４］上記画像表示装置であって、前記画像表示部は、光源と、前記光源から射出された光を、前記入力選択部で選択された画像信号に基づいて変調し、画像を形成する光変調装置と、前記光変調装置で形成された画像を拡大投写する投写光学系と、を備えることを特徴とする画像表示装置。
【００１３】
この画像表示装置によれば、光源から射出された光を変調して拡大投写する構成であるため、画像を大きなサイズで表示することが容易になる。
【００１４】
［適用例５］画像信号が入力される複数の入力端子と、前記複数の入力端子の中から１つの入力端子を選択する入力選択部と、前記入力選択部で選択された入力端子に入力される画像信号に基づいて、画像を表示する画像表示部と、入力操作を受け付ける入力操作部と、前記入力操作部に対する入力操作に基づいて、前記入力選択部に選択させる入力端子を順次切り替える制御部と、を備えた画像表示装置の制御方法であって、前記複数の入力端子のうち、指定された入力端子を無効にする第１のステップと、前記複数の入力端子のうち、前記第１のステップで無効とされたものを除く入力端子の中から、１つの入力端子を前記入力選択部に選択させる第２のステップと、を備えたことを特徴とする画像表示装置の制御方法。
【００１５】
この画像表示装置の制御方法によれば、第１のステップで、複数の入力端子のうち、指定された入力端子を無効とし、第２のステップでは、第１のステップで無効とされたものを除く入力端子の中から、１つの入力端子を入力選択部に選択させるため、指定された入力端子に入力される画像が画像表示部に表示されることがなくなる。この結果、画像を切り替える途中で望まない画像が表示されてしまうことを防ぐことが可能となる。また、画像表示部で表示すべき画像を選択するための映像表示装置等を別途設ける必要がないため、装置が高価になるのを抑制することが可能となる。
【００１６】
また、上述した画像表示装置及びその制御方法が画像表示装置に備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００１７】
以下、本実施形態に係るプロジェクタについて、図面を参照して説明する。
図１は、本実施形態のプロジェクタの概略構成を示すブロック図である。
図１に示すように、プロジェクタ１は、画像表示部としての画像投写部１０、制御部２０、記憶部２１、操作パネル２２、リモコン２３、操作信号受信部２４、入力端子群２５、入力ソース選択部２６、画像信号処理部２７、ＯＳＤ処理部２８等で構成されており、画像投写部１０には、光源１１、光変調装置としての３つの液晶ライトバルブ１２Ｒ，１２Ｇ，１２Ｂ、投写光学系としての投写レンズ１３、ライトバルブ駆動部１４等が含まれている。
【００１８】
光源１１は、高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００１９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像データに応じた駆動電圧を各画素に印加すると、各画素は、画像データに応じた光透過率に設定される。つまり、光源１１から射出された光は、この液晶ライトバルブ１２Ｒ，１２Ｇ，１２Ｂを透過することによって変調され、画像データに応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２０】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２１】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや各種データ等が記憶されている。
【００２２】
操作パネル２２及びリモコン２３は、入力操作部に相当するものであり、プロジェクタ１に対して各種指示を行うための複数の操作キーを備えている。操作パネル２２及びリモコン２３が備える操作キーとしては、電源のオン・オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」、入力ソース（画像信号の供給元）を切り替えるための「入力ソース切替キー」、無効にすべき入力ソースを指定するための「入力ソース無効化キー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２３】
入力端子群２５は、ＰＣ（パーソナルコンピュータ）等の情報機器、或いはビデオ再生装置等の映像機器等、図示しない外部の画像供給装置から、各種形式の画像信号を入力可能な複数の入力端子を備えている。本実施形態では、情報機器等からの画像信号を入力可能な２つのＰＣ系の入力端子２５ａ，２５ｂと、映像機器等からの画像信号を入力可能な２つのビデオ系の入力端子２５ｃ，２５ｄの合計４つの入力端子が備えられている。各入力端子２５ａ〜２５ｄに入力された画像信号は、入力ソース選択部２６に供給される。なお、メニュー画像等においては、ＰＣ系の入力端子２５ａ，２５ｂは、それぞれ「ＰＣ１」、「ＰＣ２」と表記され、ビデオ系の入力端子２５ｃ，２５ｄは、それぞれ「Ｖｉｄｅｏ１」、「Ｖｉｄｅｏ２」と表記される（図６参照）。
【００２４】
入力ソース選択部２６は、入力選択部に相当するものであり、４つの入力端子２５ａ〜２５ｄのうち、制御部２０の指示に基づく１つの入力端子を選択し、この入力端子に入力される画像信号を画像信号処理部２７に出力する。
【００２５】
画像信号処理部２７は、入力ソース選択部２６から入力された各種形式の画像信号を、液晶ライトバルブ１２Ｒ，１２Ｇ，１２Ｂの各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等の調整や、ガンマ補正等の各種画質調整を施す。画像信号処理部２７で画質調整がなされた画像データは、ＯＳＤ処理部２８に出力される。
【００２６】
ＯＳＤ処理部２８は、制御部２０の指示に基づいて、メニュー画像やメッセージ画像等のＯＳＤ（オンスクリーンディスプレイ）画像を、画像信号処理部２７から入力される画像データに基づく画像（入力画像）上に重畳するための処理を行う。ＯＳＤ処理部２８は、図示しないＯＳＤメモリを備えており、ＯＳＤ画像を形成するための図形やフォント等を表すＯＳＤ画像データを記憶している。制御部２０が、ＯＳＤ画像の重畳を指示すると、ＯＳＤ処理部２８は、必要なＯＳＤ画像データをＯＳＤメモリから読み出し、入力画像の所定の位置にＯＳＤ画像が重畳されるように、画像信号処理部２７から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部２８は、画像信号処理部２７から出力される画像データを、そのままライトバルブ駆動部１４に出力する。
【００２７】
ライトバルブ駆動部１４が、入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３からスクリーンＳＣに投写される。
【００２８】
次に、本実施形態のプロジェクタ１の動作について、図面を参照して説明する。
操作パネル２２及びリモコン２３に備わる入力ソース切替キーは、入力ソース（画像信号の供給元）を切り替えるための操作キーであり、ユーザが、入力ソース切替キーを操作すると、制御部２０は、入力ソース選択部２６に選択させる入力端子を順次切り替える。具体的には、制御部２０は、入力ソース切替キーが操作されるたびに、例えば、…→入力端子２５ａ（ＰＣ１）→入力端子２５ｂ（ＰＣ２）→入力端子２５ｃ（Ｖｉｄｅｏ１）→入力端子２５ｄ（Ｖｉｄｅｏ２）→入力端子２５ａ（ＰＣ１）→…の順に１つの入力端子を入力ソース選択部２６に選択させ、画像投写部１０から投写される画像（投写画像Ｇ）を順次切り替える（図２参照）。
【００２９】
また、操作パネル２２及びリモコン２３に備わる入力ソース無効化キーは、無効とすべき入力端子を指定するための操作キーであり、ユーザが、入力ソース無効化キーを操作すると、制御部２０は、その時点で入力ソース選択部２６が選択している入力端子が指定されたものと判断し、この入力端子を無効にする。具体的には、制御部２０は、入力ソース無効化キーが操作されると、入力ソース選択部２６に対して、次の順番（次順）の入力端子への切り替えを指示するとともに、これ以降、入力ソース切替キーが操作された場合にも、指定された入力端子への切り替えを禁止する。
【００３０】
例えば、すべての入力端子２５ａ〜２５ｄが無効でない（有効である）場合に、入力端子２５ｃ（Ｖｉｄｅｏ１）が選択されている状態で入力ソース無効化キーが操作されると、制御部２０は、入力ソース選択部２６に次順の入力端子２５ｄ（Ｖｉｄｅｏ２）を選択させる。これにより、画像投写部１０から、入力端子２５ｄに入力されている画像信号に基づく画像が投写される。さらに、これ以降、入力端子２５ｂ（ＰＣ２）が選択されている状態で入力ソース切替キーが操作された場合にも、制御部２０は、入力端子２５ｃ（Ｖｉｄｅｏ１）への切り替えをスキップして、入力端子２５ｄ（Ｖｉｄｅｏ２）に切り替える。つまり、入力端子２５ｃ（Ｖｉｄｅｏ１）を無効とした以降には、制御部２０は、入力ソース切替キーが操作されるたびに、入力端子２５ｄ（Ｖｉｄｅｏ２）→入力端子２５ａ（ＰＣ１）→入力端子２５ｂ（ＰＣ２）→入力端子２５ｄ（Ｖｉｄｅｏ２）→…の順に１つの入力端子を入力ソース選択部２６に選択させる（図３参照）。
【００３１】
また、記憶部２１には、各入力端子２５ａ〜２５ｄが有効か無効かを表す入力ソース情報が記憶されており、制御部２０は、入力ソース無効化キーの操作に応じて入力端子を無効にする際に、この入力ソース情報を更新して記憶部２１に記憶する。
【００３２】
図４は、入力ソース無効化キーが操作された場合の動作の詳細を説明するためのフローチャートである。制御部２０は、入力ソース無効化キーが操作されると、図４に示すフローに従って動作する。
図４に示すように、ステップＳ１０１では、制御部２０は、記憶部２１から入力ソース情報を読み出し、ステップＳ１０２では、読み出した入力ソース情報に基づいて、有効な入力端子が複数存在するか否かを判断する。有効な入力端子が１つのみの場合には、ステップＳ１０３に移行し、有効な入力端子が複数存在する場合には、ステップＳ１０４に移行する。
【００３３】
有効な入力端子が１つしか存在せずステップＳ１０３に移行した場合には、制御部２０は、ＯＳＤ処理部２８に指示をして、無効な入力端子をこれ以上増やせない旨のエラーメッセージ（例えば、「これ以上の入力端子を無効にすることはできません。」）を入力画像に所定時間重畳させて、処理を終了する。この２つのステップＳ１０２，Ｓ１０３を経ることにより、すべての入力端子２５ａ〜２５ｄが無効となってしまうことはなく、少なくとも１つの入力端子を有効にしておくことができる。
【００３４】
一方、有効な入力端子が複数存在してステップＳ１０４に移行した場合には、ステップＳ１０１で読み出した入力ソース情報に対して、その時点で選択されている入力端子（例えば、入力端子２５ｃ）を無効にする更新を行い、更新後の入力ソース情報を記憶部２１に記憶する。
【００３５】
続くステップＳ１０５では、制御部２０は、入力ソース選択部２６に指示をして、有効な入力端子の中から次順の入力端子（例えば、入力端子２５ｄ）を選択させて処理を終了する。この結果、新たに選択された入力端子（入力端子２５ｄ）に入力されている画像信号に基づく画像が、画像投写部１０から投写される。
【００３６】
図５は、入力ソース切替キーが操作された場合の動作の詳細を説明するためのフローチャートである。
図５に示すように、制御部２０は、入力ソース切替キーが操作されると、記憶部２１から入力ソース情報を読み出して、どの入力端子が有効であるかを認識する（ステップＳ２０１）。その後、制御部２０は、入力ソース選択部２６に指示をして、有効な入力端子のうち次順の入力端子を選択させて（ステップＳ２０２）、処理を終了する。これにより、入力ソース選択部２６が、無効とされた入力端子を選択することがなくなるため、入力ソースを切り替える途中に、無効な入力端子に入力される画像が表示されてしまうことを防止することが可能となっている。
【００３７】
また、本実施形態のプロジェクタ１では、ユーザが、操作パネル２２及びリモコン２３に備わるメニューキーを操作して、図示しない設定メニューを重畳表示させた後に所定の操作を行うことにより、各入力端子が有効か無効かを示す一覧表（入力端子一覧画像）を重畳表示させることができるようになっている。
【００３８】
図６は、投写画像上に重畳表示される入力端子一覧画像を示す説明図である。
図６に示すように、入力端子一覧画像Ｌｔには、タイトル「入力端子一覧」の下に、入力端子２５ａ〜２５ｄにそれぞれ対応する４つの項目「ＰＣ１」、「ＰＣ２」、「Ｖｉｄｅｏ１」、「Ｖｉｄｅｏ２」が含まれており、各項目の右横には、「○」若しくは「×」の記号が併記されている。制御部２０は、この入力端子一覧画像Ｌｔを表示する際、記憶部２１から入力ソース情報を読み出して、有効な入力端子（項目）の横に「○」を、無効な入力端子の横に「×」を付加するようになっており、ユーザは、入力端子一覧画像Ｌｔを見ることによって、各入力端子が有効であるか否かを認識することができる。
【００３９】
また、４つの項目のうちの１つの項目は、選択された状態（背景色が異なる状態）になっており、ユーザは、操作パネル２２及びリモコン２３に備わるカーソルキーを操作することにより、任意の項目を選択することができる。ユーザが、所望の項目を選択した後に決定キーを操作すると、制御部２０は、図７に示すようなＯＳＤ画像（有効／無効切替画像Ｓｔ）を重畳表示する。有効／無効切替画像Ｓｔには、選択された項目名（例えば、「Ｖｉｄｅｏ１」）の下に、「○  有効」、「×  無効」の２つの項目が含まれている。ユーザは、カーソルキー操作していずれかの項目を選択した後に決定キーを操作することにより、選択された入力端子を有効にしたり、無効にしたりすることができる。この操作によって入力端子の有効と無効とが切り替えられると、制御部２０は、有効／無効切替画像Ｓｔの重畳表示を終了して、切り替えを反映させた入力端子一覧画像Ｌｔを表示するとともに、入力ソース情報を更新して記憶部２１に記憶する。このように、ユーザは、入力端子一覧画像Ｌｔを表示させることによって、無効の入力端子を有効に戻すことが可能になっている。また、入力端子を無効にする際には、前述した入力ソース無効化キーを操作する方法に加えて、入力端子一覧画像Ｌｔを表示させた状態から無効に切り替えることも可能である。
【００４０】
以上説明したように、本実施形態のプロジェクタ１によれば、以下の効果を得ることができる。
（１）本実施形態のプロジェクタ１によれば、制御部２０が、入力ソース無効化キー等によってユーザに指定された入力端子を無効とし、これ以降、この入力端子への切り替えを禁止するため、指定された入力端子に入力される画像が画像投写部１０から投写されることがなくなる。この結果、入力ソース切替キーにより画像を切り替える途中で、望まない画像が表示されてしまうことを防ぐことが可能となる。
【００４１】
（２）本実施形態のプロジェクタ１によれば、一部の入力端子を無効にすることにより、入力ソース切替キーで入力端子を選択する際の選択肢（選択対象）の数が減少するため、所望の入力端子に切り替えるために必要となる入力操作を、少ない手数で行うことが可能となる。
【００４２】
（３）本実施形態のプロジェクタ１によれば、表示すべき画像を選択するための映像表示装置等を別途設ける必要がないため、装置が高価になるのを抑制することが可能となる。
【００４３】
（４）本実施形態のプロジェクタ１によれば、制御部２０が、各入力端子２５ａ〜２５ｄが有効か無効かを表す入力端子一覧画像Ｌｔを画像投写部１０から投写させるため、どの入力端子が無効に指定されているかを容易に視認することが可能となる。
【００４４】
なお、本実施形態では、入力ソース無効化キー等の操作に応じて、指定された入力端子を無効にするために、上記ステップＳ１０４，Ｓ１０５を実行する際の制御部２０が、入力端子無効化部に相当する。
【００４５】
（変形例）
また、前記実施形態は、以下のように変更してもよい。
前記実施形態において、画像信号が入力されているか否かを検出する画像信号検出部をさらに備え、入力ソース切替キーが操作された場合に、画像信号が入力されていない入力端子をスキップするようにしてもよい。
図８は、本変形例に係るプロジェクタの概略構成を示すブロック図である。
図８に示すように、入力ソース選択部２６の出力側には、画像信号検出部２９が備えられており、入力ソース選択部２６で選択された入力端子に画像信号が入力されているか否かを検出可能になっている。ユーザにより入力ソース切替キーが操作されると、制御部２０は、入力ソース選択部２６に次順の有効な入力端子を選択させるとともに、画像信号検出部２９の検出結果に基づいて、選択された入力端子に画像信号が入力されているか否かを判断する。この結果、この入力端子に画像信号が入力されていない場合には、さらに次順の有効な入力端子を選択させ、画像信号が入力されている入力端子が選択されるまで、上記の動作を繰り返す。この結果、画像信号が入力されていない入力端子に切り替わることがなくなるため、ユーザは、所望の入力端子に切り替えるために必要となる入力操作を、さらに少ない手数で行うことが可能となる。
【００４６】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００４７】
前記実施形態では、光源１１は、放電型の光源ランプ１１ａによって構成されているが、ＬＥＤ（Light Emitting Diode：発光ダイオード）光源等の固体光源や、その他の光源を用いることもできる。
【００４８】
前記実施形態では、画像表示装置として、光源１１から射出された光を変調して投写するプロジェクタ１を例にして説明しているが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等に適用することも可能である。なお、画像表示装置にプロジェクタを用いた場合には、他の画像表示装置に比べて、大きなサイズで画像を表示することが容易になる。
【図面の簡単な説明】
【００４９】
【図１】実施形態に係るプロジェクタの概略構成を示すブロック図。
【図２】プロジェクタの動作を説明するための説明図。
【図３】プロジェクタの動作を説明するための説明図。
【図４】入力ソース無効化キーが操作された場合の動作の詳細を説明するためのフローチャート。
【図５】入力ソース切替キーが操作された場合の動作の詳細を説明するためのフローチャート。
【図６】入力端子一覧画像を示す説明図。
【図７】有効／無効切替画像を示す説明図。
【図８】変形例に係るプロジェクタの概略構成を示すブロック図。
【符号の説明】
【００５０】
１…プロジェクタ、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２１…記憶部、２２…操作パネル、２３…リモコン、２４…操作信号受信部、２５…入力端子群、２５ａ〜２５ｄ…入力端子、２６…入力ソース選択部、２７…画像信号処理部、２８…ＯＳＤ処理部、２９…画像信号検出部、Ｌｔ…入力端子一覧画像、Ｓｔ…有効／無効切替画像、ＳＣ…スクリーン。
【図１】
2008304668.tif 000003
【図２】
2008304668.tif 000004
【図３】
2008304668.tif 000005
【図４】
2008304668.tif 000006
【図５】
2008304668.tif 000007
【図６】
2008304668.tif 000008
【図７】
2008304668.tif 000009
【図８】
2008304668.tif 000010